(57)【要約】      （修正有）【課題】防水ラインを底板部上に形成することが可能な建物の基礎構造を提供する。【解決手段】コンクリートで構築される建物の基礎構造１０であって、スラブ状に形成された基礎スラブ１と、基礎スラブ１の上面１１の周縁に沿って間隔を置いて配置された複数の束部（コーナー束部２Ａ，中間束部２Ｂ）と、束部（２Ａ，２Ｂ）間の開口を埋めるように配置される板状の断熱材３と、束部（２Ａ，２Ｂ）と断熱材３との間に介在される水膨張シーリング材５Ａ−５Ｃ防水材とを備えている。【選択図】図１
2020002741.tif 000002
【特許請求の範囲】
【請求項１】
コンクリートで構築される建物の基礎構造であって、
スラブ状に形成された底板部と、
前記底板部の上面の周縁に沿って間隔を置いて配置された複数の束部と、
前記束部間の開口を埋めるように配置される板状の断熱材と、
前記束部と前記断熱材との間に介在される防水材とを備えたことを特徴とする建物の基礎構造。
【請求項２】
前記防水材は、前記束部と前記断熱材との間から前記断熱材と前記底板部との間に連続して配置されることを特徴とする請求項１に記載の建物の基礎構造。
【請求項３】
前記防水材は、水膨張シーリング材であることを特徴とする請求項１又は２に記載の建物の基礎構造。
【請求項４】
前記底板部の側面並びに前記束部及び前記断熱材の外側面に、連続した被覆層が設けられることを特徴とする請求項１乃至３のいずれか１項に記載の建物の基礎構造。
【請求項５】
前記束部の内部側に基礎断熱材が配置されることを特徴とする請求項１乃至４のいずれか１項に記載の建物の基礎構造。
【発明の詳細な説明】
【技術分野】
【０００１】
本発明は、べた基礎などのコンクリートで構築される建物の基礎構造に関するものである。
【背景技術】
【０００２】
特許文献１，２には、鉄筋コンクリートによってスラブ状に構築された基礎スラブの周縁に、間隔を置いてプレキャストコンクリート製のブロックを配置することで形成された建物の基礎構造が開示されている。
【０００３】
この基礎構造においては、基礎スラブ周縁に配置されたブロック間に断熱材が配置されるとともに、底板部となる基礎スラブの側面及びブロックの外側面と外装材との間に防水材を介在させた構成となっている。すなわち、防水ラインが基礎スラブの外側で形成される。
【先行技術文献】
【特許文献】
【０００４】
【特許文献１】特開２０１８−３５５３０号公報
【特許文献２】特開２０１８−３５５３１号公報
【発明の概要】
【発明が解決しようとする課題】
【０００５】
しかしながら、防水ラインが基礎スラブの外側で形成される場合は、外装材には押出成形セメント板などのパネル状部材を使用しなければならず、意匠性やコスト削減などの検討の際に制限を受ける。
そこで、本発明は、防水ラインを底板部上に形成することが可能な建物の基礎構造を提供することを目的としている。
【課題を解決するための手段】
【０００６】
前記目的を達成するために、本発明の建物の基礎構造は、コンクリートで構築される建物の基礎構造であって、スラブ状に形成された底板部と、前記底板部の上面の周縁に沿って間隔を置いて配置された複数の束部と、前記束部間の開口を埋めるように配置される板状の断熱材と、前記束部と前記断熱材との間に介在される防水材とを備えたことを特徴とする。
【０００７】
ここで、前記防水材は、前記束部と前記断熱材との間から前記断熱材と前記底板部との間に連続して配置される構成とするのが好ましい。また、前記防水材は、水膨張シーリング材であることが好ましい。さらに、前記底板部の側面並びに前記束部及び前記断熱材の外側面に、連続した被覆層が設けられる構成とすることができる。そして、前記束部の内部側には、基礎断熱材を配置することが好ましい。
【発明の効果】
【０００８】
このように構成された本発明の建物の基礎構造は、スラブ状に形成された底板部の上面の周縁に沿って間隔を置いて配置された複数の束部間に、その開口を埋めるように板状の断熱材が配置される。そして、束部と断熱材との間には、防水材を介在させる。
【０００９】
このため、防水材による防水ラインを基礎スラブなどの底板部上に形成することができ、防水材が底板部の外側に突出しないため、外装の意匠性を高めたりコスト削減を図ったりすることを、制約の少ない中で自由に行うことができる。
【００１０】
また、防水材が、束部と断熱材との間から断熱材と底板部との間に連続して配置されていれば、高い防水性能を確保することができる。さらに、防水材が水膨張シーリング材であれば、水分が与えられることで膨張するので、より密着性を高めることができる。そして、底板部の側面並びに束部及び断熱材の外側面に連続した被覆層が設けられるのであれば、連続性と一体感のある外装の意匠を創出することができる。
【図面の簡単な説明】
【００１１】
【図１】本実施の形態の建物の基礎構造の構成を拡大して説明する斜視図である。
【図２】建物の基礎構造の全体構成を説明する斜視図である。
【図３】（ａ）は中間束部間に断熱材が配置された構成を図１のＡ−Ａ矢視方向で見た平面図、（ｂ）は図１のＢ−Ｂ矢視方向で見た断面図である。
【図４】建物の基礎構造の全体構成を説明する平面図である。
【図５】図４のＣ−Ｃ矢視方向で見た断面図である。
【図６】図４のＤ−Ｄ矢視方向で見た断面図である。
【発明を実施するための形態】
【００１２】
以下、本発明の実施の形態について図面を参照して説明する。図１は、本実施の形態の建物の基礎構造１０の構成を拡大して説明する斜視図であり、図２は、基礎構造１０の全体構成を示している。
【００１３】
本実施の形態の基礎構造１０は、コンクリートで構築される建物のべた基礎である。すなわち基礎構造１０は、図２に示すように、建物の基礎施工領域となる例えば平面視長方形領域に、鉄筋コンクリートによってスラブ状に構築された底板部としての基礎スラブ１と、その基礎スラブ１の周縁に間隔を置いて配置された複数の束部（２Ａ，２Ｂ，２Ｃ）と、束部間の開口を埋めるように配置される板状の断熱材３とによって、主に構成される。
【００１４】
基礎スラブ１は、図示は省略するが、水平方向に向けて格子状に配筋された複数の鉄筋によって構成される配筋部と、現地で打設されるコンクリートとによって主に構成される。
【００１５】
基礎スラブ１の下方には、栗石や捨てコンクリートなどによって捨石層１３が形成される（図５，図６参照）。また、板状の基礎スラブ１の下部は地面Ｇの下に埋め戻され、上部は地面Ｇから突出される。すなわち基礎スラブ１の側面１２の上部及び上面１１は、地面Ｇから突出されて露出された状態になる。
【００１６】
そして、図２に示すように、基礎スラブ１の周縁に沿って、複数の束部（２Ａ−２Ｃ）が間隔を置いて配置される。ここで、基礎スラブ１の隅角部に配置される束部をコーナー束部２Ａとし、コーナー束部２Ａ，２Ａ間に配置される束部を中間束部２Ｂ又はＴ型束部２Ｃとする。
【００１７】
束部（２Ａ−２Ｃ）は、基礎スラブ１と一体になるように鉄筋コンクリートで構築される。基礎スラブ１と束部（２Ａ−２Ｃ）を一度のコンクリート打設で構築することもできるし、別々にコンクリートを二度打ちして構築することもできる。ここで、コーナー束部２Ａは平面視略Ｌ字形に成形され、中間束部２Ｂは平面視略長方形に成形され、Ｔ型束部２Ｃは平面視略Ｔ字形に成形される。
【００１８】
さらに、基礎スラブ１の内部にも、必要に応じてＩ型束部２４や中央束部２５が鉄筋コンクリートによって設けられる。対峙するＴ型束部２Ｃ，２Ｃ同士の交点には、平面視略長方形の中央束部２５が配置され、中間束部２Ｂと中央束部２５との間には、平面視略Ｉ字形のＩ型束部２４が配置される。
【００１９】
ここで、図５を参照しながら、コーナー束部２Ａを例にして束部の構成についてさらに説明する。コーナー束部２Ａには、基礎スラブ１の上面１１から壁状に立ち上げられる外側面２１が形成される。この外側面２１は、基礎スラブ１の側面１２とほぼ連続する鉛直面を形成する。
【００２０】
コーナー束部２Ａの上面には、アンカーボルト２３を介して建物本体Ｕを連結させるための補強プレート２２が配置される。建物本体Ｕの外壁Ｕ１は、コーナー束部２Ａの外側面２１とほぼ面一となるように取り付けられる。また、コーナー束部２Ａの外側面２１側の上縁は、建物本体Ｕの下縁から張り出された水切材Ｕ２によって覆われる。
【００２１】
コーナー束部２Ａの内部側の側面には、基礎断熱材４Ａが配置される。基礎断熱材４Ａは、コーナー束部２Ａの内側面に沿って配置される長方形板状の鉛直部４１と、基礎スラブ１の上面１１に載置される長方形板状の水平部４２とによって、側面視略Ｌ字形に形成される。
【００２２】
ここで、図４の左下の隅角部に示したように、玄関のタタキなどを設ける箇所には、面積が広い断熱材を拡幅部４３として配置した基礎断熱材４Ｃとすることもできる。また、中間束部２Ｂの内部側の側面には、側面視略Ｌ字形の基礎断熱材４Ｂが配置される。
【００２３】
基礎断熱材４Ａ−４Ｃには、例えば微細な気泡構造の発泡プラスチック系断熱材が使用できる。また、拡幅部４３には、ビーズ法ポリスチレンフォームなどの発泡プラスチック系断熱材が使用できる。
【００２４】
そして、図２に示すように、束部間の開口を埋めるように板状の断熱材３が配置される。すなわち、コーナー束部２Ａと中間束部２Ｂとの間、中間束部２Ｂ，２Ｂ間、中間束部２ＢとＴ型束部２Ｃとの間の長方形の開口を塞ぐように、束部（２Ａ−２Ｃ）の幅と同等の厚さの長方形板状の断熱材３が配置される。
【００２５】
詳細には、図４及び図６に示すように、例えば２枚の断熱板３１，３１を重ねて断熱材３とすることができる。この断熱板３１には、押出法ポリスチレンフォームなどの発泡プラスチック系断熱材が使用できる。
【００２６】
さらに、本実施の形態の建物の基礎構造１０では、束部（２Ａ−２Ｃ）と断熱材３との間に防水材が介在される。具体的には、図１に示すように、コーナー束部２Ａと中間束部２Ｂとの間などの束部間には、対向する束部の端面と基礎スラブ１の上面１１とに連続して、水膨張シーリング材５Ａ−５Ｃが防水材として配置される。
【００２７】
水膨張シーリング材５Ａ−５Ｃは、水分と接触すると水を吸収し、体積を膨張させるシール材である。自己給水の膨張機能により、優れた止水性を発揮することができる。例えば水膨張シーリング材５Ａ−５Ｃによって、束部（２Ａ−２Ｃ）の幅方向のほぼ中央に、束部間で連続する防水ラインを形成する。
【００２８】
詳細には、例えば図３（ａ）に示すように、中間束部２Ｂと断熱材３の端面３ｂとの間に、鉛直方向に延伸させた水膨張シーリング材５Ａを介在させる。また、断熱材３の上面３ｄの高さ位置においては、水膨張シーリング材５Ａの上端に連続して外側面２１方向に向けて、水膨張シーリング材５Ｃを延伸させる。
【００２９】
さらに、図３（ｂ）に示すように、断熱材３の下面３ｃと基礎スラブ１の上面１１との間には、束部間を繋ぐように水膨張シーリング材５Ｂを水平方向に向けて延伸させる。ここで、図３（ａ），（ｂ）では、説明のために水膨張シーリング材５Ａ−５Ｃの圧縮される前の形状を図示しているが、実際には束部（５Ａ−５Ｃ）と断熱材３又は断熱材３と基礎スラブ１との間に介在させることで圧縮変形して、それらに密着することになる。
【００３０】
このように束部間の防水ラインが、束部（２Ａ−２Ｃ）の幅方向のほぼ中央に設けられると、図１に示すように、基礎スラブ１の側面１２と束部（２Ａ−２Ｃ）の外側面２１と断熱材３の外側面３ａとを、ほぼ面一（連続した面）にすることができる。
【００３１】
このような面一に形成された基礎構造１０の外側面であれば、外装として連続した被覆層６を設けることができる。例えば、高弾性樹脂モルタルなどを塗布した下地層６２の表面に、塗装を仕上層６１として塗布することで被覆層６を形成することができる。
【００３２】
次に、本実施の形態の建物の基礎構造１０の構築方法について説明する。
まず、基礎施工領域となる地面Ｇを掘削し、栗石（砕石）が敷き均された後に、捨てコンクリートを打設することで捨石層１３を設ける。そして、捨石層１３の上に基礎スラブ１用の鉄筋を配筋する。
【００３３】
また、基礎スラブ１用の鉄筋の上には、束部（２Ａ−２Ｃ）並びにＩ型束部２４及び中央束部２５の配筋も行う。そして、型枠を組み立て、現場打ちのコンクリートを打設する。ここで、コンクリートは、１度に打設することができるが、基礎スラブ１用とそれ以外の２度に分けて打設することもできる。
【００３４】
コンクリートの養生後に、型枠を撤去し、束部（２Ａ−２Ｃ）の表面に付着しているコンクリートノロなどの汚れや異物を除去する。そして、束部（２Ａ−２Ｃ）間の開口の形状を採寸して、その大きさに合わせて断熱板３１を切断する。
【００３５】
一方、束部（２Ａ−２Ｃ）間の対向する端面及び基礎スラブ１の上面１１には、例えば一液弾性シール材を連続して塗布することで、水膨張シーリング材５Ａ−５Ｃを設ける。この結果、束部（２Ａ−２Ｃ）間には、基礎スラブ１上で完結する防水ラインが形成される。
【００３６】
続いて、束部（２Ａ−２Ｃ）間の開口には、端面３ｂ及び下面３ｃに接着剤を塗布した２枚の断熱板３１，３１を挿し込んで、束部（２Ａ−２Ｃ）と同等の厚みの断熱材３を設ける。
【００３７】
また、束部（２Ａ−２Ｃ）の内部側には、束部（２Ａ−２Ｃ）に対向させる面の縁部を囲繞するように接着剤が塗布された基礎断熱材４Ａ−４Ｃの鉛直部４１を貼り付ける。さらに、鉛直部４１に隣接して、基礎スラブ１の上面１１に貼り付ける水平部４２及び拡幅部４３を設置する。また、断熱材３の上面３ｄ及び束部（２Ａ−２Ｃ）の上面は、防水シートで覆う。
【００３８】
そして、図１に示すように、束部（２Ａ−２Ｃ）の外側面２１と基礎スラブ１の側面１２と断熱材３の外側面３ａに、連続して高弾性樹脂モルタルを塗布して下地層６２を設け、その上から仕上層６１となる塗装をして被覆層６を完成させる。
【００３９】
次に、本実施の形態の建物の基礎構造１０の作用について説明する。
このように構成された本実施の形態の建物の基礎構造１０は、スラブ状に形成された基礎スラブ１の上面１１の周縁に沿って間隔を置いて配置された複数の束部（２Ａ−２Ｃ）間に、開口を埋めるように板状の断熱材３が配置される。
【００４０】
そして、束部（２Ａ−２Ｃ）と断熱材３の端面３ｂとの間には、水膨張シーリング材５Ａ，５Ｃを介在させる。また、基礎スラブ１の上面１１と断熱材３の下面３ｃとの間には、水膨張シーリング材５Ｂを介在させる。
【００４１】
このため、水膨張シーリング材５Ａ−５Ｃによる防水ラインを基礎スラブ１上に形成することができ、防水材が基礎スラブ１の外側に突出しないため、外装の意匠性を高めることが自由にできる。
【００４２】
また、基礎スラブ１の側面１２側に突出部が発生しないので、外装パネルなどを使用する必要がなく、高い意匠性を保ちつつコスト削減を図ることを、制約の少ない中で自由に行うことができる。
【００４３】
さらに、水膨張シーリング材５Ａ−５Ｃが、束部（２Ａ−２Ｃ）と断熱材３との間から断熱材３と基礎スラブ１の上面１１との間に連続して配置されていれば、高い防水性能を確保することができる。
【００４４】
そして、防水材が水膨張シーリング材５Ａ−５Ｃであれば、水分と接触することで膨張するので、より密着性を高めることができる。すなわち、硬質の断熱材３と束部（２Ａ−２Ｃ）の端面との間に僅かに隙間が空くような場合でも、水膨張シーリング材５Ａ−５Ｃが介在されていれば、基礎構造１０の外部から内部への水の浸入を確実に防ぐことができる。
【００４５】
また、束部（２Ａ−２Ｃ）間に配置する断熱材３は、束部（２Ａ−２Ｃ）と同程度の厚みにできるため、通常より厚い断熱材によって高い断熱性能を確保することができる。さらに、断熱材３の厚みの調整も、使用する断熱板３１の厚さや重ねる枚数を変更することで、容易に行うことができる。
【００４６】
そして、基礎スラブ１の側面１２並びに束部（２Ａ−２Ｃ）の外側面２１及び断熱材３の外側面３ａに連続した被覆層６が設けられるのであれば、連続性と一体感のある外装の意匠を創出することができる。
【００４７】
以上、図面を参照して、本発明の実施の形態を詳述してきたが、具体的な構成は、この実施の形態に限らず、本発明の要旨を逸脱しない程度の設計的変更は、本発明に含まれる。
【００４８】
例えば、前記実施の形態では、現場打ちコンクリートによって構築する束部（２Ａ−２Ｃ）を例に説明したが、これに限定されるものではなく、基礎スラブ１の周縁に沿って間隔を置いてプレキャスト製の束部を設置する構成であってもよい。
【符号の説明】
【００４９】
１０        ：建物の基礎構造
１          ：基礎スラブ（底板部）
１１        ：上面
１２        ：側面
２Ａ        ：コーナー束部（束部）
２Ｂ        ：中間束部（束部）
２Ｃ        ：Ｔ型束部（束部）
２１        ：外側面
３          ：断熱材
３ａ        ：外側面
４Ａ−４Ｃ  ：基礎断熱材
５Ａ−５Ｃ  ：水膨張シーリング材（防水材）
６          ：被覆層
【図１】
2020002741.tif 000003
【図２】
2020002741.tif 000004
【図３】
2020002741.tif 000005
【図４】
2020002741.tif 000006
【図５】
2020002741.tif 000007
【図６】
2020002741.tif 000008